(57)【要約】【課題】  受け主に応じた適切なデータ変換および変換した３Ｄデータの供給を自動で行うことができるデータ供給システムを提供すること。【解決手段】  ３Ｄデータのデータ変換を行って、送り主から受け主に対して伝送路を介して供給する３Ｄデータ供給システムであって、複数の受け主と、それぞれの受け主に対して供給する３Ｄデータのデータ変換に関わる変換パラメータとを関連づけて記録する記録部と、データ変換の対象の３Ｄデータを取得する取得部と、記録部に記録された複数の受け主のうち、３Ｄデータを供給する受け主を指定する指定部と、取得部により取得した３Ｄデータに対して、指定部により指定された受け主に対応づけて記録部に記録された変換パラメータを用いて、データ変換を行う変換部と、変換部により変換された３Ｄデータを一時保管し、受け主からの要求に応じて、保管した３Ｄデータを受け主に送信する保管部とを備える。【選択図】      図１
2006221232.tif 000002
【特許請求の範囲】
【請求項１】
３Ｄデータのデータ変換を行って、送り主から受け主に対して伝送路を介して供給する３Ｄデータ供給システムであって、
複数の前記受け主と、それぞれの前記受け主に対して供給する３Ｄデータのデータ変換に関わる変換パラメータとを関連づけて記録する記録部と、
前記データ変換の対象の３Ｄデータを取得する取得部と、
前記記録部に記録された前記複数の受け主のうち、３Ｄデータを供給する受け主を指定する指定部と、
前記取得部により取得した前記３Ｄデータに対して、前記指定部により指定された前記受け主に対応づけて前記記録部に記録された変換パラメータを用いて、データ変換を行う変換部と、
前記変換部により変換された３Ｄデータを一時保管し、前記受け主からの要求に応じて、保管した３Ｄデータを前記受け主に送信する保管部と
を備えたことを特徴とする３Ｄデータ供給システム。
【請求項２】
請求項１に記載の３Ｄデータ供給システムにおいて、
前記変換部によるデータ変換にかかわる情報と、前記受け主から提供される情報との少なくとも一方に基づいて、前記記録部に記録された前記受け主に対応づけて記録された変換パラメータの種類と、変換パラメータの内容との少なくとも一方を更新する記録更新部を備える
ことを特徴とする３Ｄデータ供給システム。
【発明の詳細な説明】
【技術分野】
【０００１】
データ変換を行った３Ｄデータを、送り主から受け主に対して供給する３Ｄデータ供給システムに関する。
【背景技術】
【０００２】
近年、３Ｄ−ＣＡＤを利用した設計が一般的になり、発注依頼などに際してデータの供給を行う場合にも、３Ｄ−ＣＡＤデータが利用されている。ただし、３Ｄ−ＣＡＤには複数の種類があり、異なる３Ｄ−ＣＡＤ間のデータ供給には、データ変換が必要である。このようなデータ変換には、異なる３Ｄ−ＣＡＤ間ごとにそれぞれ異なる変換パラメータが必要である。
【０００３】
特許文献１に記載の発明では、異なる３Ｄ−ＣＡＤ間ごとのデータ変換を行う際のデータ変換の作業効率を向上するために、各種３Ｄ−ＣＡＤ間のデータ変換に必要な変換パラメータを予め記憶しておき、データ変換時には供給先（受け主）の３Ｄ−ＣＡＤへの最適な変換パラメータにしたがってデータ変換を行っている。
【特許文献１】特開２０００−２９７５５号公報
【発明の開示】
【発明が解決しようとする課題】
【０００４】
しかし、変換パラメータには、様々な種類が存在するとともに、常に更新されるものである。したがって、同一の供給先（受け主）に供給する３Ｄデータのデータ変換であっても、上述した特許文献１の発明では対応しきれない場合がある。そのため、変換パラメータの更新については、手動でその都度更新を行う必要がある。また、供給先（受け主）ごとの詳細な情報（変換パラメータの設定、データ変換後の処理など）に対応するためには、それらの情報を把握している限られたユーザによる操作が必要となる。
【０００５】
本発明は、受け主に応じた適切なデータ変換および変換した３Ｄデータの供給を自動で行うことができるデータ供給システムを提供することを目的とする。
【課題を解決するための手段】
【０００６】
請求項１に記載の３Ｄデータ供給システムは、３Ｄデータのデータ変換を行って、送り主から受け主に対して伝送路を介して供給する３Ｄデータ供給システムであって、複数の前記受け主と、それぞれの前記受け主に対して供給する３Ｄデータのデータ変換にかかわる変換パラメータとを関連づけて記録する記録部と、前記データ変換の対象の３Ｄデータを取得する取得部と、前記記録部に記録された前記複数の受け主のうち、３Ｄデータを供給する受け主を指定する指定部と、前記取得部により取得した前記３Ｄデータに対して、前記指定部により指定された前記受け主に対応づけて前記記録部に記録された変換パラメータを用いて、データ変換を行う変換部と、前記変換部により変換された３Ｄデータを一時保管し、前記受け主からの要求に応じて、保管した３Ｄデータを前記受け主に送信する保管部とを備えたことを特徴とする。
【０００７】
請求項２に記載の３Ｄデータ供給システムは、請求項１に記載の３Ｄデータ供給システムにおいて、前記変換部によるデータ変換にかかわる情報と、前記受け主から提供される情報との少なくとも一方に基づいて、前記記録部に記録された前記受け主に対応づけて記録された変換パラメータの種類と、変換パラメータの内容との少なくとも一方を更新する記録更新部を備えることを特徴とする。
【発明の効果】
【０００８】
本発明によれば、受け主に応じた適切なデータ変換および変換した３Ｄデータの供給を自動で行うことができる。
【発明を実施するための最良の形態】
【０００９】
以下、図面を用いて本発明の実施形態について説明する。図１は本発明の３Ｄデータ供給システムのシステム構成図である。３Ｄデータ供給システムは、図１に示すように、送り主側のコンピュータ１１およびコンピュータ１２、３Ｄデータ変換システム１３、３Ｄ部品検索システム１４、受け主側のコンピュータ１５およびコンピュータ１６、３Ｄデータ保管システム１７により構成されている。コンピュータ１１、コンピュータ１２、３Ｄデータ変換システム１３、３Ｄ部品検索システム１４はイントラネットで接続され、イントラネットはさらにインターネットに接続している。受け主側のコンピュータ１５、コンピュータ１６および３Ｄデータ保管システム１７は、インターネットに接続している。
【００１０】
次に、図２を参照して、各部の機能および処理の流れを説明する。なお、３Ｄデータ変換システム１３は内部にメモリ１３ａを備える。このメモリ１３ａには、複数の受け主と、それぞれの受け主に対して供給する３Ｄデータのデータ変換にかかわる変換パラメータとが関連づけて記録されている。さらに、受け主ごとに変換パラメータの設定、データ変換後の処理などの詳細な情報が記録されている。また、３Ｄ部品検索システム１４は、内部にメモリ１４ａを備える。このメモリ１４ａには、送り主により設計された、変換対象となる３Ｄデータ（以降、「３Ｄ部品」と称する）が記録されている。このような３Ｄ部品は、予めコンピュータ１１およびコンピュータ１２から、メモリ１４ａに転送されている。また、図２において、実線の矢印は指示の流れを示し、太線の矢印はデータの流れを示し、破線の矢印はメールの流れを示す。
【００１１】
まず、コンピュータ１１およびコンピュータ１２は、３Ｄ部品検索システム１４に対して、データ検索指示を行い、３Ｄデータ変換システム１３に対して、データ変換指示を行う。３Ｄ部品検索システム１４は、コンピュータ１１およびコンピュータ１２からのデータ検索指示に応じて、３Ｄ部品をメモリ１４ａから読み出して、３Ｄデータ変換システム１３に供給する。一方、３Ｄデータ変換システム１３は、コンピュータ１１およびコンピュータ１２からのデータ変換指示に応じて、３Ｄ部品検索システム１４から供給された３Ｄ部品に対して、指定された受け主に対応づけてメモリ１３ａに記録された変換パラメータを用いて、データ変換を行う。
【００１２】
そして、３Ｄデータ変換システム１３は、変換後の３Ｄデータに対して暗号化処理を行って、３Ｄデータ保管システム１７に送信する。
３Ｄデータ保管システム１７は、３Ｄデータ変換システム１３からの変換後の３Ｄデータの転送が完了すると、送り主のコンピュータ１１およびコンピュータ１２と、受け主のコンピュータ１５およびコンピュータ１６とに、転送完了を知らせるメールを送信する。
【００１３】
受け主のコンピュータ１５およびコンピュータ１６は、転送完了のメールを受信した後に、所望のタイミングで、３Ｄデータ保管システム１７に対して３Ｄデータ読み出し指示を行う。３Ｄデータ保管システム１７は、コンピュータ１５およびコンピュータ１６からの３Ｄデータ読み出し指示に応じて変換後の３Ｄデータを読み出し、暗号化処理を行って、コンピュータ１５およびコンピュータ１６に送信する。最後に、３Ｄデータ保管システム１７は、コンピュータ１５およびコンピュータ１６による３Ｄデータの読み出しが完了すると、送り主のコンピュータ１１およびコンピュータ１２に、読み出し完了を知らせるメールを送信する。
【００１４】
次に、送り主側のコンピュータ１１およびコンピュータ１２と受け主側のコンピュータ１５およびコンピュータ１６とにおける詳細な処理手順について、図３から図５を参照して説明する。なお、図３は、送り主側のコンピュータ１１およびコンピュータ１２、３Ｄデータ変換システム１３、３Ｄ部品検索システム１４における処理手順を並記した図であり、図４は、受け主側のコンピュータ１５およびコンピュータ１６、３Ｄデータ保管システム１７における処理手順を並記した図である。また、図５は、３Ｄ部品検索システム１４におけるデータ検索画面を示す図である。
【００１５】
まず、コンピュータ１１およびコンピュータ１２は、３Ｄ部品検索システム１４に対して、イントラネットを利用した接続を要求する（ＳＡ１）。３Ｄ部品検索システム１４は、コンピュータ１１およびコンピュータ１２からの接続要求を受け付けて接続を確立すると、ユーザ認証の情報入力画面を表示させる（ＳＢ１）。コンピュータ１１およびコンピュータ１２は、認証情報入力画面に対してＩＤとパスワードを入力する（ＳＡ２）。３Ｄ部品検索システム１４は、入力されたＩＤ、パスワードを受け付けてユーザ認証を行い、基本メニューを表示する（ＳＢ２）。コンピュータ１１およびコンピュータ１２は、変換対象となる３Ｄ部品を検索するため、検索キーの入力を行う（ＳＡ３）。３Ｄ部品検索システム１４は、検索キーを受け取り、メモリ１４ａに対して検索を行って、検索結果の一覧を表示する（ＳＢ３）。図５に、データ検索結果の一覧の表示例を示す。一覧には、図５に示すように、３Ｄ部品の名称、データ形式、メモリ１４ａ内の保管先、作成日などの情報が含まれる。コンピュータ１１およびコンピュータ１２は、検索結果の一覧から変換対象となる３Ｄ部品を選択し（ＳＡ４）、データ変換の指示を行う（ＳＡ５）。具体的には、ユーザーは、図５に示したデータ検索画面において、左端のチェックボックスをチェックすることにより３Ｄ部品の選択を行い、データ変換ボタンＡを選択することによりデータ変換の指示を行う。コンピュータ１１およびコンピュータ１２は、ＳＡ５におけるデータ変換の指示を行うと、３Ｄ部品検索システム１４への接続を終了する。
【００１６】
ＳＡ５におけるデータ変換の指示は、３Ｄデータ変換システム１３に供給される。また、３Ｄ部品検索システム１４は、ＳＡ５におけるデータ変換の指示に応じて、メモリ１４ａから３Ｄ部品を読み出して、３Ｄデータ変換システム１３に供給する。
コンピュータ１１およびコンピュータ１２は、受け主の指定を行う（ＳＡ６）。３Ｄデータ変換システム１３は、指定された受け主に対応づけてメモリ１３ａに記録された標準変換パラメータと過去に利用された変換パラメータとの一覧を表示する（ＳＣ１）。コンピュータ１１およびコンピュータ１２は、変換パラメータの選択を行い（ＳＡ７）、データ変換の実行指示を行う（ＳＡ８）。このとき、コンピュータ１１およびコンピュータ１２は、必要に応じて変換パラメータ定義を行い（ＳＡ９）、定義した情報を３Ｄデータ変換システム１３に供給する。
【００１７】
コンピュータ１１およびコンピュータ１２は、ＳＡ８におけるデータ変換の実行指示（必要に応じてＳＡ９における変換パラメータ定義）を行うと、３Ｄデータ変換システム１３への接続を終了する。
３Ｄデータ変換システム１３は、変換パラメータ情報の取得を行う（ＳＣ２）。ＳＡ７で選択された変換パラメータの種類や、ＳＡ９において説明した変換パラメータ定義などの変換パラメータ情報を取得する。取得した変換パラメータ情報を用いて、３Ｄ部品検索システム１４から供給された３Ｄデータに対してデータ変換を行う（ＳＣ３）。データ変換の具体的な方法については、従来技術と同様であるため説明を省略する。さらに、受け主に応じた暗号化処理を行い（ＳＣ４）、暗号化処理後の３Ｄデータを３Ｄデータ保管システム１７に送信する（ＳＣ５）。
【００１８】
３Ｄデータ保管システム１７は、３Ｄデータ変換システム１３より送信されたデータの転送が完了すると、コンピュータ１１およびコンピュータ１２とコンピュータ１５およびコンピュータ１６に対して転送完了のメールを送信する（転送完了通知発送）（ＳＤ１）。
コンピュータ１１およびコンピュータ１２が、３Ｄデータ保管システム１７からの転送完了通知を受け取り（ＳＡ１０）、コンピュータ１５およびコンピュータ１６も、３Ｄデータ保管システム１７からの転送完了通知を受け取る（ＳＥ１）と、送り主側のコンピュータ１１およびコンピュータ１２における処理手順を完了する。
【００１９】
次に、受け主側のコンピュータ１５およびコンピュータ１６における処理手順について説明する。まず、コンピュータ１５およびコンピュータ１６は、前述したＳＥ１において３Ｄデータ保管システム１７からの転送完了通知を受け取ると、３Ｄデータ保管システム１７に対して、インターネットを利用した接続を要求する（ＳＥ２）。３Ｄデータ保管システム１７は、コンピュータ１５およびコンピュータ１６からの接続要求を受け付けて接続を確立すると、ユーザ認証の情報入力画面を表示させる（ＳＦ１）。コンピュータ１５およびコンピュータ１６は、認証情報入力画面に対してＩＤとパスワードを入力する（ＳＥ３）。３Ｄデータ保管システム１７は、入力されたＩＤ、パスワードを受け付けてユーザ認証を行い（ＳＦ２）、受け主がダウンロード可能な３Ｄデータの一覧を表示する（ＳＦ３）。コンピュータ１５およびコンピュータ１６は、ダウンロードする３Ｄデータを選択し（ＳＥ４）、ダウンロード実行の指示を行う（ＳＥ５）。３Ｄデータ保管システム１７は、ＳＥ５におけるダウンロード実行の指示に応じて、３Ｄデータを読み出して暗号化処理を行い（ＳＦ４）、暗号化処理後の３Ｄデータをコンピュータ１５およびコンピュータ１６に送信する（ＳＦ５）。
【００２０】
３Ｄデータ保管システム１７は、コンピュータ１５およびコンピュータ１６による３Ｄデータのダウンロードが完了すると、コンピュータ１１およびコンピュータ１２に対してダウンロード完了のメールを送信する（ＳＦ６）。
コンピュータ１５およびコンピュータ１６は、ＳＦ５において３Ｄデータ保管システム１７により送信された３Ｄデータを取得する（ＳＥ６）と、取得した３Ｄデータの暗号化解除を行う（ＳＥ７）。そして、暗号化を解除した３Ｄデータが、利用可能な状態になる。
【００２１】
コンピュータ１５およびコンピュータ１６が、３Ｄデータ保管システム１７からのダウンロード完了通知を受け取る（ＳＧ１）と、受け主側のコンピュータ１５およびコンピュータ１６における処理手順を完了する。
なお、受け主側は、ＳＥ１で説明した転送完了のメールを受信した後に、所望のタイミングで、３Ｄデータ保管システム１７に対して３Ｄデータ読み出し指示を行うことができる。また、送り主側は、ＳＧ１で説明したダウンロード完了のメールを受信することで、受け主側が３Ｄデータをダウンロードしたことを確認することができる。
【００２２】
次に、変換パラメータの自動更新について説明する。３Ｄデータ変換システム１３は、状況に応じて、以下の変換パラメータの自動更新を行う。
（１）利用頻度による自動更新
変換パラメータが、汎用的に使用される変換パラメータか一時利用のための変換パラメータかを統計的に評価し、メモリ１３ａ内の情報に追加する。この結果、汎用的に使用される変換パラメータを、標準変換パラメータとすることができる。
（２）データ変換時の品質評価による自動更新
図３のＳＣ３で説明したデータ変換の際に、データ変換後の３Ｄデータに対して品質評価を行う。品質評価として、例えば曲面における自己干渉と閾値との関係や、不具合が発生している箇所および不具合の内容などを評価する。さらに、複数の変換パラメータに対する評価を比較し、最も品質評価の高い変換パラメータを標準変換パラメータとするようにしても良い。
（３）受け主によるダウンロード時の品質評価による自動更新
受け主がデータ変換後の３Ｄデータをダウンロードする際に、（２）で説明した品質評価と同様の品質評価を受け主に対して要求し、受け主による品質評価に基づいて、変換パラメータの自動更新を行う。なお、（２）で説明したデータ変換時の品質評価をさらに加味するようにしても良い。
【００２３】
以上説明したように、本実施形態によれば、複数の受け主と、それぞれの受け主に対して供給する３Ｄデータのデータ変換にかかわる変換パラメータとを関連づけて記録しておき、取得した変換対象の３Ｄデータに対して、指定された受け主に対応づけて記録された変換パラメータを用いて、データ変換を行い、変換された３Ｄデータを一時保管し、受け主からの要求に応じて、保管した３Ｄデータを受け主に送信する。したがって、受け主に応じた適切なデータ変換および変換した３Ｄデータの供給を自動で行うことができる。そのため、受け主ごとの詳細な情報を把握していないユーザであっても手軽に受け主に応じたデータ変換を行うことができる。
【００２４】
また、本実施形態によれば、データ変換にかかわる情報と、受け主から提供される情報との少なくとも一方に基づいて、予め記録された受け主に対応づけて記録された変換パラメータの種類と、変換パラメータの内容との少なくとも一方を更新する。したがって、変換パラメータの更新を自動化し、常に最新の情報を管理することができる。
また、本実施形態によれば、３Ｄデータの暗号化や転送にかかわる受け主ごとの詳細な情報を記録しておき、その情報にしたがって３Ｄデータの供給を行う。したがって、情報を把握していないユーザであっても受け主に応じた３Ｄデータの供給を行うことができる。
【００２５】
また、本実施形態によれば、送り主側のコンピュータから３Ｄデータ保管システム１７への３Ｄデータ転送完了時に、送り主と受け主とにメールで通知を行い、３Ｄデータ保管システム１７から受け主側コンピュータへのダウンロード完了時には、送り主にメールで通知を行う。したがって、ユーザは３Ｄデータ供給における一連の作業完了まで、待つ必要がなくなるとともにコンピュータが占有されることも回避できる。
【００２６】
また、本実施形態によれば、送り主側のコンピュータは、３Ｄデータ変換システム１３および３Ｄ部品検索システム１４への指示を行うためのコンピュータである。すなわち、専用の端末や専用のソフトをインストールしたコンピュータではない。したがって、送り主側のコンピュータは、３Ｄデータ変換システム１３および３Ｄ部品検索システム１４への指示を行う環境さえ備えれば、既存のコンピュータを使用することが可能になる。
【００２７】
なお、本実施形態では、送り主側のコンピュータとしてコンピュータ１１およびコンピュータ１２を備え、受け主側のコンピュータとしてコンピュータ１５およびコンピュータ１６を備える例を示したが、コンピュータの台数はこの例に限定されない。また、複数の受け主について、同様の供給システムを適用することができる。
また、本実施形態では、送り主側のコンピュータ１１およびコンピュータ１２、３Ｄデータ変換システム１３、３Ｄ部品検索システム１４をイントラネットで接続する例を示したが、構成やセキュリティの度合に応じて、一部をインターネット上に配置するようにしても良い。
【図面の簡単な説明】
【００２８】
【図１】３Ｄデータ供給システムのシステム構成図である。
【図２】各部の機能および処理の流れを説明する図である。
【図３】送り主側のコンピュータ１１およびコンピュータ１２、３Ｄデータ変換システム１３、３Ｄ部品検索システム１４における処理手順を並記した図である。
【図４】受け主側のコンピュータ１５およびコンピュータ１６、３Ｄデータ保管システム１７における処理手順を並記した図である。
【図５】３Ｄ部品検索システム１４におけるデータ検索結果の一覧の表示例を示す図である。
【符号の説明】
【００２９】
１  ３Ｄデータ供給システム
１１，１２，１５，１６  コンピュータ
１３  ３Ｄデータ変換システム
１３ａ，１４ａ  メモリ
１４  ３Ｄ部品検索システム
１７  ３Ｄデータ保管システム
【図１】
2006221232.tif 000003
【図２】
2006221232.tif 000004
【図３】
2006221232.tif 000005
【図４】
2006221232.tif 000006
【図５】
2006221232.tif 000007